(57)【要約】少なくとも部分的にシーケンシャルな製造工程で形成され、電気的に相対するかおよび／または相補的なエネルギ部分の合流のために実施可能および／または動作可能な、既定のアセンブリ（複数可）および／またはアセンブリの変形例の一部として結合および／または形成されるように動作可能で、構成アマルガムによってエネルギ調節の部分が電圧を印加された回路の一部として動作可能になる、選択されたエネルギ経路と他の素子の融合。【選択図】図１
2004530298.tif 000002
【特許請求の範囲】
【請求項１】
複数の、重ねられ導電結合されたエネルギ経路であって、少なくとも第１の重ねられたエネルギ経路、第２の重ねられたエネルギ経路、及び、第３の重ねられたエネルギ経路を含む前記複数のエネルギ経路と、
実質的に同様な大きさと形状の、少なくとも第１と第２のエネルギ経路と
を備え、
前記第１のエネルギ経路は、前記第１と前記第２の重ねられたエネルギ経路によって少なくとも部分的にシールドされて挟まれ、前記第２のエネルギ経路は、前記第２と前記第３の重ねられたエネルギ経路によって少なくとも部分的にシールドされて挟まれ、
前記第１と前記第２のエネルギ経路は、各々少なくとも対応する対面領域を有し、前記対面領域の各々は、第１の表面領域を含み、前記第１と前記第２のエネルギ経路は、各々少なくとも対応する非対面領域を有し、前記非対面領域の各々は第２の表面領域を含み、
前記第１の表面領域のそれぞれは、前記第２の表面領域のそれぞれに比例するエネルギ経路構成。
【請求項２】
前記第１または前記第２のエネルギ経路は、各々、前記複数の重ねられたエネルギ経路のうち任意の１つよりも小さい請求項１に記載のエネルギ経路構成。
【請求項３】
第１の複数の導電結合され重ねられたエネルギ経路と、
第２の複数の導電結合され重ねられたエネルギ経路と、
第３の複数の導電結合され重ねられたエネルギ経路と
を備え、
前記第１、前記第２及び前記第３の複数の重ねられたエネルギ経路のそれぞれは、互いから導電的に分離され、
前記第２と前記第３の複数の重ねられたエネルギ経路のうち、各重ねられたエネルギ経路は、実質的に共通の大きさと形状であり、
前記第１の複数の重ねられたエネルギ経路のうち任意の１つの重ねられたエネルギ経路は、前記第２または前記第３の複数の重ねられたエネルギ経路のうち任意の１つの重ねられたエネルギ経路よりも大きく、
前記第１の複数の重ねられたエネルギ経路のうち少なくとも１つの重ねられたエネルギ経路は、前記第２または前記第３の複数の重ねられたエネルギ経路からの少なくとも１つの重ねられたエネルギ経路を、前記第２または前記第３の複数の重ねられたエネルギ経路のうち他のエネルギ経路から少なくとも部分的にシールドし、
前記第１の複数の重ねられたエネルギ経路の数は奇数であり、
前記第２と前記第３の複数の重ねられたエネルギ経路の数は、合計で偶数であるエネルギ経路構成。
【請求項４】
前記エネルギ経路構成は、コモンモードノイズと差分モードノイズのうち少なくとも１つをフィルタリングする請求項１乃至３のいずれかに記載のエネルギ経路構成。
【請求項５】
前記エネルギ経路構成は、スタックされたエネルギ経路構成である請求項１乃至４のいずれかに記載のエネルギ経路構成。
【請求項６】
前記エネルギ経路構成は、支持を提供し、及び、前記エネルギ経路のうち少なくとも１つを、前記重ねられたエネルギ経路のうち少なくとも他の１つから実質的に分離するための支持材
をさらに備える請求項１乃至４のいずれかに記載のエネルギ経路構成。
【請求項７】
前記第１、前記第２及び前記第３の複数の重ねられたエネルギ経路のうち少なくとも１つの複数の重ねられたエネルギ経路を、前記第１、前記第２及び前記第３の複数の重ねられたエネルギ経路のうち少なくとも他の１つの複数の重ねられたエネルギ経路から実質的に分離するための支持材
をさらに備える請求項３に記載のエネルギ経路構成。
【請求項８】
前記エネルギ経路構成は、絶縁材、半絶縁材、誘電材、導電材、強磁性材、フェライト材、シェール材、金属酸化物材、バリスタ材、化学的にドープされた材料、半導電材、またはこれらの組み合わせからなる材料のグループから選択された少なくとも１つの材料をさらに含む請求項１乃至４のいずれかに記載のエネルギ経路構成。
【請求項９】
少なくとも前記第１と第２のエネルギ経路を支持するための複数の誘電材部分をさらに備える請求項２に記載のエネルギ経路構成。
【請求項１０】
前記支持材は、樹脂材を含む請求項７に記載のエネルギ経路構成。
【請求項１１】
前記支持材は、フェライト材を含む請求項７に記載のエネルギ経路構成。
【請求項１２】
前記支持材は、誘電材を含む請求項７に記載のエネルギ経路構成。
【請求項１３】
前記エネルギ経路構成は、３０分間に少なくとも摂氏１５度温度が上昇する請求項１０に記載のエネルギ経路構成。
【請求項１４】
前記エネルギ経路構成のうち任意の１つのエネルギ経路は、フォトリソグラフィ加工される請求項１０に記載のエネルギ経路構成。
【請求項１５】
前記第２の複数の重ねられたエネルギ経路と前記第３の複数の重ねられたエネルギ経路は、相対的に実質的に対称的で、方向が相対する請求項３に記載のエネルギ経路構成。
【請求項１６】
前記第１のエネルギ経路と前記第２のエネルギ経路は、少なくとも第１の電極と第２の電極である請求項２に記載のエネルギ経路構成。
【請求項１７】
前記複数の重ねられたエネルギ経路のうち任意の１つの重ねられたエネルギ経路は、シールディング電極である請求項１６に記載のエネルギ経路構成。
【請求項１８】
前記第１のエネルギ経路と前記第２のエネルギ経路は、少なくとも第１の電極と第２の電極である請求項９に記載のエネルギ経路構成。
【請求項１９】
請求項１、または、２、７、９、１０、１１、１２、１５、１６、１７、１８のうちいずれかに記載のエネルギ経路構成であって、容量性ネットワークの一部として動作可能な前記エネルギ経路構成。
【請求項２０】
請求項１、または、２、７、９、１０、１１、１２、１５、１６、１７、１８のうちいずれかに記載のエネルギ経路構成であって、分圧器として動作可能な前記エネルギ経路構成。
【請求項２１】
請求項１、または、２、７、９、１０、１１、１２、１５、１６、１７、１８のうちいずれかに記載のエネルギ経路構成であって、エネルギコンディショナとして動作可能な前記エネルギ経路構成。
【請求項２２】
請求項１、または、２、７、９、１０、１１、１２、１５、１６、１７、１８のうちいずれかに記載のエネルギ経路構成であって、キャパシタとして動作可能な前記エネルギ経路構成。
【請求項２３】
エネルギソースと、
エネルギ使用負荷と
をさらに備え、
前記第１、前記第２及び前記第３の複数の重ねられたエネルギ経路は、共通電圧基準に対応して、エネルギソースとエネルギ使用負荷の間の電圧バランスを維持する請求項７に記載のエネルギ経路構成。
【請求項２４】
少なくとも１つの導電材部分によって前記第１の複数の重ねられたエネルギ経路に導電結合される中立的な導電体と、
少なくとも別の導電材部分によって前記第２の複数の重ねられたエネルギ経路に導電結合される正の導電体と、
少なくとも１つの他の導電材部分によって前記第３の複数の重ねられたエネルギ経路に導電結合される負の導電体と
をさらに備える請求項２３に記載のエネルギ経路構成。
【請求項２５】
前記少なくとも１つの他の導電材部分は、前記少なくとも１つの別の導電材部分と重ならない請求項２４に記載のエネルギ経路構成。
【請求項２６】
前記少なくとも１つの導電材部分は、前記少なくとも１つの別の導電材部分と重ならない請求項２４に記載のエネルギ経路構成。
【請求項２７】
前記少なくとも１つの導電材部分は、前記少なくとも１つの他の導電材部分と重ならない請求項２４に記載のエネルギ経路構成。
【請求項２８】
前記エネルギ経路構成は、少なくとも２つの外側のシールディングエネルギ経路をさらに備える請求項１乃至４のいずれかに記載のエネルギ経路構成。
【請求項２９】
少なくとも前記第１の電極と少なくとも前記第２の電極は、少なくとも第１と少なくとも第２の分割電極を備える請求項１６に記載のエネルギ経路構成。
【請求項３０】
請求項１、または、２、７、９、１０、１１、１２、１５、１６、１７、１８、２３、２４、２９のいずれかに記載のエネルギ経路構成であって、バイパスキャパシタとして動作可能な前記エネルギ経路構成。
【請求項３１】
実質的に等しい大きさと形状の導電結合された第１の複数のエネルギ経路であって、前記第１の複数の各々は前記第１の複数の他の各々と並列である前記第１の複数のエネルギ経路と、
実質的に等しい大きさと形状の導電結合された第２の複数のエネルギ経路であって、前記第２の複数の各々は前記第２の複数の他の各々と並列である前記第２の複数のエネルギ経路と、
実質的に等しい大きさと形状の導電結合された第３の複数のエネルギ経路であって、前記第３の複数の各々は前記第３の複数の他の各々と重なり、かつ、並列である、前記第３の複数のエネルギ経路と
を備え、
前記第１の複数のエネルギ経路のうち少なくとも１つは、前記第３のエネルギ経路のうち少なくとも１つと少なくとも部分的に重ならず、及び、前記第１の複数のエネルギ経路のうち少なくとも１つと前記第３の複数のエネルギ経路のうち少なくとも１つとが重ならないことを補償するために、前記第２の複数のエネルギ経路のうち少なくとも１つは前記第３の複数のエネルギ経路のうち少なくとも１つと相補的に部分的に重ならないエネルギ経路構成。
【請求項３２】
前記第１の複数のエネルギ経路のうち少なくとも１つの部分的に重ならないエネルギ経路を除く前記第１の複数のエネルギ経路の残りは、前記第３の複数のエネルギ経路と実質的に重ねられる請求項３１に記載のエネルギ経路構成。
【請求項３３】
前記部分的に重ならない領域は、シフトした領域を含む請求項３１に記載にエネルギ経路構成。
【発明の詳細な説明】
【技術分野】
【０００１】
本発明は１９９７年４月８日に出願番号第０８／８４１，９４０号として提出され、米国特許第５，９０９，３５０号として発行された特許の部分継続出願である、１９９８年１月１９日に出願番号第０９／００８，７６９号として提出され、米国特許第６，０９７，５８１号として発行された特許の部分継続出願である、１９９８年４月７日に出願番号第０９／０５６，３７９号として提出され、米国特許第６，０１８，４４８号として発行された特許の継続出願である、１９９９年１２月１３日に係属出願第０９／４６０，２１８号として提出され、米国特許第６，３３１，９２６号の部分継続出願である、２０００年５月２６日の係属出願第０９／５７９，６０６号の部分継続出願である、２０００年６月１５日に提出された係属出願０９／５９４，４４７号の部分継続出願である、２０００年８月３日に提出された係属出願０９／６３２，０４８号の部分継続出願である、２０００１年２月５日に提出された係属出願第０９／７７７，０２１号の部分継続出願である、２００１年３月２２日に提出された係属出願０９／８１５，２４６号の部分継続出願である、２００１年４月３０日に提出された係属出願０９／８４５，６８０号の部分継続出願である。
【０００２】
さらに本発明は、２００１年４月２日に提出された米国仮出願第６０／２８０，８１９号、２００１年７月２日に提出された米国仮出願６０／３０２，４２９号、２０００年８月８日に提出された米国仮出願第６０／３１０，９６２号、２００２年１月７日に提出された米国仮出願第６０／＿＿の権利を主張するものである。
【０００３】
本出願は、相対的なオフセットグループ化が多数のエネルギ調節機能について次に実現可能である、電極などの、種々のエネルギ部分の伝播に関するエネルギ経路の相補的で相対的なオフセットグループ化を使用する、既定の、実質的に対称的にバランスのとれたアマルガムに関する。これらの構成および／または少なくともこれらの構成の選択された変形例は、アマルガムによって、エネルギ部分の合流が、電圧を印加された回路の一部としてエネルギ調節の一部を受ける、電気的に相対するかおよび／または相補的なエネルギ部分の合流を維持するように実現可能および／または動作可能な、離散的または非離散的な実施形態として動作可能である。
【背景技術】
【０００４】
今日、典型的なシステム用途の中の電子部品の密度が増大するにつれて、望ましくないノイズという増大した密度の副産物によって、重要な電子回路も重要でない電子回路も性能が制限されている。この結果、望ましくないノイズの影響から回路部分を分離または閉じ込めるなど、望ましくないノイズという副産物の影響を避けることは、ほとんどの回路構成と回路設計にとって重要な考慮点となっている。
【０００５】
差分モードノイズエネルギとコモンモードノイズエネルギは、エネルギ経路、ケーブル、回路板トラックまたはトレース、高速伝送ライン、および／または、バスライン経路によって生成され、これらに沿って伝播するかおよび／またはこれらをめぐって伝播する。多くの場合、これらのエネルギ導電体はたとえばアンテナ放射エネルギ場として作用する。このアンテナに似た性能は、高い周波数では、関連技術の受動素子を使用して伝播するエネルギの部分が、種々の容量性寄生および／または誘導性寄生などのエネルギ寄生干渉の増大したレベルを経験するという点で、ノイズという副産物の問題を悪化させる場合がある。
【発明の開示】
【発明が解決しようとする課題】
【０００６】
これらの増大は、部分的には、関連技術の固有の製造上および／または設計上のアンバランスおよび／または性能の欠点と、関連技術の解決法の機能的および／または構造的限度による制限が組み合わさって生じる場合がある。これらの欠点は固有に、関連づけられた電気回路に結合される望ましくないおよび／またはアンバランスな干渉エネルギに非常に導電的な動作性を生成するかまたは誘導するので、これらの寄生とＥＭＩから少なくとも部分的なシールディングを作成することが望ましい。この結果、広周波数の動作環境では、これらの課題の解決法は、少なくとも、入力線と出力線を同時にフィルタリングすること、種々のアースまたはアンチノイズ構成を有する注意深いシステムレイアウトと、少なくとも部分的な静電シールドおよび／または電磁シールドと組み合わされた大規模で少なくとも部分的な分離の組み合わせを必要とする。
【０００７】
したがって、離散構成要素または非離散構成要素に組み込むと、シールディングエネルギ経路構成から導出された、少なくとも部分的に物理的なシールディングと少なくとも部分的に静電的なシールディングを使用する、少なくともデカップリング機能、一時抑制機能、ノイズキャンセル機能、エネルギブロック機能、エネルギ抑制機能のうちから選択された、効果的で、対称的にバランスのとれた、持続可能な、同時のエネルギ調節機能を提供するために、ほとんど任意の回路用途で使用できる、エネルギ経路と他の既定の素子の、簡単で既定の構成を使用した、内蔵型のエネルギ調節構成に対するニーズがある。
【発明を実施するための最良の形態】
【０００８】
例としての実施形態の理解は、同様な数字は同様な部分を指す付随する図面と共に、例としての実施形態の次の詳細な説明を考慮すれば容易に得られるであろう。
【０００９】
本出願は、１９９７年４月８日に出願番号第０８／８４１，９４０号として提出され、米国特許第５，９０９，３５０号として発行された特許の部分継続出願である、１９９８年１月１９日に出願番号第０９／００８，７６９号として提出され、米国特許第６，０９７，５８１号として発行された特許の部分継続出願である、１９９８年４月７日に出願番号第０９／０５６，３７９号として提出され、米国特許第６，０１８，４４８号として発行された特許の継続出願である、１９９９年１２月１３日に係属出願第０９／４６０，２１８号として提出され、米国特許第６，３３１，９２６号の部分継続出願である、２０００年５月２６日の係属出願第０９／５７９，６０６号の部分継続出願である、２０００年６月１５日に提出された係属出願０９／５９４，４４７号の部分継続出願である、２０００年８月３日に提出された係属出願０９／６３２，０４８号の部分継続出願である、２０００１年２月５日に提出された係属出願第０９／７７７，０２１号の部分継続出願である、２００１年３月２２日に提出された係属出願０９／８１５，２４６号の部分継続出願である、２００１年４月３０日に提出された係属出願０９／８４５，６８０号の部分継続出願であり、これらの各出願は参照により本明細書に組み込まれている。
【００１０】
さらに本発明は、２００１年４月２日に提出された米国仮出願第６０／２８０，８１９号、２００１年７月２日に提出された米国仮出願６０／３０２，４２９号、２０００年８月８日に提出された米国仮出願第６０／３１０，９６２号、２００２年１月７日に提出された米国仮出願第６０／＿＿の権利を主張するものであり、これらの各出願は参照により本明細書に組み込まれている。
【００１１】
図面と説明は、エネルギ経路構成（ｅｎｅｒｇｙ  ｐａｔｈｗａｙ  ａｒｒａｎｇｅｍｅｎｔ、エネルギ経路配置）のいくつかの可能な実施形態のうち少なくとも１つの実施形態を示すものであり、いくつかの可能な実施形態のうち少なくとも１つの実施形態を明確に理解するために適切な要素を説明するために単純化されており、明確化のために、典型的なエネルギ調節素子、システム、方法に見出される多くの他の要素は除去されていることを理解されたい。当業者であれば、エネルギ経路構成のいくつかの可能な実施形態のうち少なくとも１つの実施形態を実装するために他の要素が望ましいかおよび／または必要であることが理解されるであろう。しかし、このような要素は当業界ではよく知られており、これらは本明細書に提示された例としての実施形態のよりよい理解を促進しないので、このような要素の議論な本明細書では提供しない。当業者であれば理解されるように、次の開示は、知られたエネルギ調節素子、システム、および／または方法に対する変形例と修正例に関するものである。
【００１２】
エネルギ経路構成の多くの可能な実施形態のうち少なくとも１つの実施形態によれば、本明細書で一般に使用される”エネルギ経路”という用語は、各々がエネルギ部分の伝播を維持するために動作可能な、少なくとも１つまたはいくつかの導電材部分であってもよい。エネルギ経路は、エネルギ経路に直接結合されるかおよび／または隣接する非導電材または半導電材と比較すると、種々の電気および／またはエネルギをよりよく伝播するように、導電的であるか、および／または物理的な構成によって導電的であってもよい。
【００１３】
エネルギ経路構成のいくつかの可能な実施形態のうち少なくとも１つの実施形態内のエネルギ経路は、エネルギ経路構成内のエネルギ経路の向きと配置により、エネルギ部分に対して種々の同時なエネルギ調節機能を可能にすることによって、エネルギ部分の伝播を容易にすることができ、さらに、種々のエネルギ部分と、伝播する相補的な他のエネルギ部分の相互作用を可能にすることができる。
【００１４】
エネルギ経路は、エネルギ経路部分、全エネルギ経路、エネルギ経路、および／または導電体、および／またはエネルギ導電体、および／または電極、および／または少なくとも１つの工程で生成された導電体、および／または電極、および／またはシールディングを含んでいてもよい。複数のエネルギ経路は、エネルギ経路に関して上述した複数の各デバイスまたは素子を含んでいてもよい。
【００１５】
あるタイプのエネルギ経路はシールディングを含んでいてもよい。シールディングは、シールディングエネルギ経路、シールディングエネルギ経路部分、被シールド側エネルギ経路部分、被シールド側エネルギ経路、および／または被シールド側導電体、および／または被シールド側エネルギ導電体、および／または被シールド側電極、および／または少なくとも１つの工程で生成された被シールド側エネルギ経路部分、および／または被シールド側導電体、および／または被シールド側エネルギ導電体、および／または”被シールド側電極”を含んでいてもよい。複数のシールディングは、シールディングに関して上述した複数のデバイスまたは素子を含んでいてもよい。
【００１６】
１つのタイプのエネルギ経路は導電体および／または電極であってよい。本明細書に一般に使用されるように、伝播するエネルギ部分に関して、個別のまたは相補的に配置されるかおよび／または相補的な方向の導電体および／またはエネルギ導電体および／または電極は、たとえば、互いに物理的に相対するか、または、互いに相対的に方向付けられ、これによって、電気的に相補的であるかおよび／または電気的に差分である導電体の対および／または電極の対を含む。さらに、一般に本明細書に使用されるように、導電体（複数可）および／または電極（複数可）は、たとえば、抵抗リード、導電材部分、たとえば少なくとも１つの媒体８０１および／または分離部分などによって分離されたプレートなどの電気プレートなどの、個別の導電材部分、電気ワイヤを含んでいてもよい。
【００１７】
例としての実施形態では、エネルギ経路構成は、一部または全体として少なくとも部分的にシールドエネルギ経路に配置されるか、および／または、相補的な電極対などの電極などの少なくとも２つのエネルギ経路の、分離するかおよび／または導電的に分離された少なくとも１つの対に関して、導電シールディング構造として配置された、少なくとも１つのシールディングを含んでいてもよい。
【００１８】
さらに、本明細書に一般に使用される”ＡＯＣ”８１３という用語は、エネルギ調節を受ける相補的なエネルギ部分の合流および／または相互作用を維持するために実現可能なエネルギ経路構成のいくつかの可能な実施形態のうち少なくとも１つの実施形態内に、既定のおよび／または選択された三次元領域の少なくとも一部を含んでいてもよい。したがって、ＡＯＣ８１３は、エネルギ経路とシールディングの対の種々の選択されたおよび／または既定のおよび／または配置された対の、既定の製造されたシーケンスの結果であってもよく、これらの経路は、エネルギ伝播から生じる既定のエネルギ調節機能が、ＡＯＣ８１３内を通過する（ｐａｔｈｅｄ、経路）、相補的に伝播するエネルギの部分に対して行われることを可能にする。
【００１９】
本明細書に使用される”ＡＬＩ”という用語は、たとえばスペース、空隙または非電気的な物理領域、絶縁領域、またはエネルギ経路の構成によって生成された領域など他のタイプの領域をＡＬＩが含み、この結果、他の方法ではよりバランスの取れたエネルギ合流の相互作用が可能になるエネルギ経路構成の少なくとも一部が欠如する結果になるという事実に少なくとも一部基づいて、同等のＡＯＣ８１３よりも、相補的なエネルギ部分の合流が維持できなくなるように実現可能である、エネルギ経路構成のいくつかの可能な実施形態のうち少なくとも１つの実施形態の、既定のおよび／または選択された三次元の領域の一部を含んでいてもよい。たとえば、６４００、８０６、６６６、６３００、６５００の各領域は、同等のＡＯＣ８１３より少ないエネルギ調節および／またはバランスのとれた相互作用および／または合流機能を有するので、ＡＬＩは、それぞれ８０６、６４００、６６６  ６３００、６５００と示された部分から構成してもよいかまたはこれらを含んでいてもよい。
【００２０】
さらに本明細書で一般に使用される”外側”または”外部”という用語は、上記に定義されたＡＯＣ８１３の典型的な有効なエネルギ調節範囲または影響、スペースまたは領域までの場所および／またはこれを超えた場所を含んでいてもよい。本明細書で一般に使用される”外側”または”外部”は、ＡＯＣ８１３と別々である必要はなく、エネルギ経路構成および／またはＡＯＣ８１３に含まれる他の素子と隣接して離れている必要もない。したがってたとえば本明細書で使用される、外側または外部は、電極の本体部分８０との隣接した関係にかかわらず、ＡＯＣ８１３に対して、電極拡張部７９’Ｘ’のすべての場所または大部分の場所に適用することができる。
【００２１】
特にたとえば図１、図２、図３、図７Ａに関して描かれているような例示的なエネルギ経路構成の実施形態では、種々の伝播するエネルギ部分は相補的であり、エネルギ経路構成は回路構成（複数可）内に配置されると、エネルギ経路構成のエネルギ経路の所定の部分の中および／またはこの所定の部分に沿ってエネルギが伝播することを可能にし、これによって、相補的な導電体の各々から外向きに放射するエネルギ場の流れの伝播が生成する、電極をソースとする磁場の反対向きに移動する部分が相互作用できるようにする。この相互キャンセルは、所定の電極が他の相補的な電極から部分的または完全に物理的にシールドされ、影響を与える距離（複数可）内に配置される場合に発生しうる。さらに、それぞれの相補的な電極の大きさおよび／または形状の実質的な同一性、電極の間隔を開けて配置された関係、シールディングの介在、電極の導電的に分離された関係も、この相互のキャンセル効果に寄与することができる。
【００２２】
さらに、エネルギ経路構成のいくつかの可能な実施形態のうち少なくとも１つの実施形態によれば、相補的な電極は実質的に同じ大きさ、および／または形状、位置であり、静電シールディングがシールディング構造を介して伝播するかまたはシールディング構造の周囲で伝播するエネルギの部分に作用する、同時に動作するシールディング構造の中で、部分的に、複数のシールディングダイナミクスを受けることができる。当業者であれば、実質的に同様または等しい大きさまたは形状、相補的な大きさまたは形状、または同じまたは等しい大きさまたは形状などという用語の使用は、本明細書に説明されたエネルギ経路構成の製造において、相手先商標製品の製造会社（ＯＥＭ）が使用するような製造慣行など、最新の製造業界で一般に理解されてるかおよび／または一般に慣行されている製造誤差を含むことが理解されるであろう。
【００２３】
静電シールディングはシールディングの時それぞれの相補的な導電体の各部に対して相互に排他的であってもよいが、ダイナミックシールディングはさらにエネルギ経路内部の特定の既定の相対的な配置から生じ、この配置は複数の変数に依存する静電シールディングという結果を生む。複数の変数の中には、それぞれの電極部分に電圧を印加している間にエネルギが伝播するそれぞれの相補的な電極部分の各々の既定の物理的な配置と位置とが含まれるが、これに限定されるものではない。たとえば、選択された電極および／またはシールディングの既定の合成は、少なくとも部分的には、マルチ機能エネルギコンディショナを形成するときに使用されるなどのシーケンシャルな製造工程を使用して形成することができる。
【００２４】
したがって、上に論じたシールディングのダイナミックな動作は、それぞれの相補的な電極のうち第２の電極に対する、それぞれの相補的な電極のうち第１の電極の既定の配置に少なくとも部分的に基づく。ここで相補的な電極のうち第１の電極と第２の電極は互いに相補的であり、”対になった一組”を形成することができる。さらに、シールディング動作は、導電性静電シールディング構造の少なくとも一部に対する、対になった電極の組の相対的な配置に基づいていてもよい。少なくともここで論じた相補的なエネルギ調節機能と静電的なシールディングダイナミクスは、ＡＯＣ８１３の中で種々の既定のエネルギ経路に沿って種々の方向で伝播する種々のエネルギ部分に対して作用し、たとえば、所望のマスタ回路挙動を必要とする既定のマスタ回路の中のエネルギ経路構成の経路動作と同時に動作することができる。
【００２５】
エネルギ経路構成のいくつかの可能な実施形態のうち少なくとも１つの実施形態によれば、電磁的／静電的に作動しているインピーダンス状態のサブ組み合わせが、エネルギ経路構成に沿って発生するかまたはその一部の中に発生するか、および／または、シールディングエネルギ経路に導電結合された、緊密に結合した既定の外部の導電部分に沿って発生するかまたはその中で発生し、これによって、既定のエネルギ調節回路を形成することができる。これらの電磁的／静電的に作動されたインピーダンス状態は、たとえば、エネルギ経路対に電圧を印加したことによって発生しうる。
【００２６】
上述のエネルギ経路構成のいくつかの可能な実施形態のうち少なくとも１つの実施形態によれば、各シールディングは本体部分８１を含んでいてもよい。本体部分８１は全体として互いに導電結合され、同時に、電極（複数可）の本体部分８０を実質的に閉じ込めシールドすることができる。別法としては、シールディング本体部分８１全体は、電極本体部分８０を部分的にだけ閉じ込めるおよび／またはシールドする場合もある。
【００２７】
エネルギ経路構成のいくつかの可能な実施形態のうち少なくとも１つの実施形態によれば、対称性、所定の重なったシールディングエネルギ経路、相補的なエネルギ経路の大きさと形状、相補的なエネルギ経路の互いに対する相互的な配置と対によって、バランスのとれた対称的なエネルギ経路構成が結果として形成される。ダイナミックなエネルギ伝播、、および／または、相補的なエネルギ伝播または量など種々のダイナミックな量の相互作用または対または組み合わせが、同時に測定することができないか、および／または、典型的なテスト装置の精度の基本的な限度未満で動作する可能性のある、エネルギ経路の製造可能なバランスのとれたおよび／または対称的な物理構成が結果として形成されうる。したがって、測定回路に平行なスペースなど、ＡＯＣ８１３などのスペースの範囲内でこれらの相補的なエネルギ量の部分が同時に相互作用する時、エネルギ部分および／またはその相互作用は、典型的なテスト機器の定量化可能な範囲を超える可能性があり、”テストフロア”より下である可能性がある。
【００２８】
固定されたポイントまたは想像上のポイントまたは中央の基準軸および／またはポイント９９９に対する相補的なバランス、対称性を維持する、素子の既定の構成により、測定機能や、電気的な強化または特徴的な変化など所望の結果を得ることができる。
【００２９】
したがって、測定が得られる範囲は制御可能であり、これによって電気的な特性または電気的な特性に対する作用は、提供すべき所望の測定可能性または挙動または強化をあらかじめ決めるか、素子の構成によるか、また、所望の測定可能性または作用を提供するように素子を配置するかによって、制御可能である。たとえば、所望の電気的な特性および／または変動は、エネルギ経路構成のいくつかの可能な実施形態のうち少なくとも１つに関して次に説明し、図４から図９に描かれているように、少なくとも１つのエネルギ経路対の相補的なバランス、大きさ、形状、および／または対称性の少なくとも一部を変えることによって、所望の強化を受けるようにあらかじめ決めることができる。
【００３０】
したがってたとえば、エネルギの相互作用の範囲、または、相互的なエネルギ伝播のタイミング、干渉などの変数は、エネルギ経路構成内で誤差を制御することによって制御可能である。これらの誤差は、たとえば製造工程を手動で調節するか、または半導体工程制御などコンピュータによる誤差制御によって制御可能である。したがって当業者であれば明らかなように、例としての実施形態のエネルギ経路は、受動素子工程などの製造工程を使用して形成することができ、この工程の誤差は当業者には明らかであろう。したがって、当業界のこれらの用語の普通の理解によれば、例としての実施形態のエネルギ経路構成を形成することによって、相互エネルギ部分伝播タイミングまたは測定はキャンセルまたは抑制できる。
【００３１】
したがって、少なくとも１つの既定の製造工程を使用して、既定のエネルギ経路のバランスの取れたグループを有する合成された電子構造内で、相対的に配置された電極のグループのシーケンシャルに配置された構成という結果をもたらす、エネルギ経路構成が作成できる。既定のエネルギ経路のバランスのとれたグループは、対称的で数が相補的であり、互いに対して相補的に配置されるかおよび／または中央に配置されたシールディングのそれぞれの側面に実質的に等距離に配置された、スタックされた（ｓｔａｃｋｅｄ、積み重ねられた）電極のハイアラーキを有する、既定の電極アーキテクチャを含むことができる。ここで、各シールディングエネルギ経路は、全体の電極ハイアラーキに対して対称的なバランスポイントの少なくとも一部を提供することができる。したがって、既定の差分および／または相補的な大きさ、形状、および／または、配置の電極が、中央に配置されたシールディングのいずれかの側に存在する。これによって、エネルギ経路は、少なくとも１つの介在するシールディングを挟む、差分および／または相補的な大きさおよび／または形状の電極の対の、逆鏡像配置を含む、既定の相補的な物理的なフォーマットに対称的に分割される。この例としての実施形態は、対称的な相補的エネルギ経路構成と名づけられ、たとえば、たった今上記に論じた実施形態の反映されるかまたは回転された平行移動を含んでいてもよい。
【００３２】
エネルギ経路構成はさらに、外部デバイス、または、回路、回路部分へエネルギ経路構成の素子を接着するために実行可能なものなどの、導電性構造、または、電極部分、電極終端素子、導電部分などを含んでいてもよい。さらに当業者であれば、少なくとも１つの既定の外部デバイス、または、回路、回路部分と組み合わせるかおよび／またはこれらに導電結合することによって、入力する外部エネルギの調節など既定の効果のために、エネルギ経路構成を動作させることができることが理解されるであろう。たとえば、少なくとも１つの外部デバイス、または、回路、回路部分へ、エネルギ経路構成の少なくとも一部を既定の方法で導電結合することにより、外部デバイス、または、回路、回路部分と、少なくとも１つのエネルギ経路の少なくとも一部に向かって伝播するか、これらから伝播するか、および／またはこれらを介して伝播する少なくとも１つのエネルギ部分に、特に達成可能なエネルギ調節機能が適用できるようになる。このような少なくとも１つのエネルギ部分は、相補的なエネルギ、電気的に相対するおよび／または電気的な極性を有する、相対するエネルギ部分を含んでいてもよい。さらに、エネルギ経路構成は離散構成要素としても動作可能である。
【００３３】
エネルギ経路構成のいくつかの可能な実施形態のうち少なくとも１つの実施形態によれば、各電極はたとえば、基板、蒸着、エッチング、たとえばドーピング加工の結果などであってよく、シールディングはたとえば、電極基板、蒸着、エッチング、たとえばドーピング加工の結果であってもよく、たとえば、抵抗性を有していてもよい。
【００３４】
エネルギ経路構成のいくつかの可能な実施形態のうち少なくとも１つの実施形態によれば、シールディングは、たとえば、低インピーダンスエネルギ経路、および／または共通電圧基準、および／またはイメージ平面機能、および／またはエネルギブロック機能を同時に回路に提供するなど、少なくとも２つのエネルギ調節機能のために動作可能である。ここでたとえば、図３Ａの４００などシールディングエネルギ経路は、静電的シールディングのために動作可能な、少なくとも部分的に物理的に挟み込まれたシールディング分離バリアとしての機能を少なくとも果たす。これらの機能はたとえば、シールディングエネルギ経路が、相補的な電極対の同じ大きさの相補的な各電極の少なくとも一部を挟むことによって提供される。同じ大きさの相補的な電極を使用することによって、たとえば、エネルギ経路構成のいくつかの可能な実施形態のうち少なくとも１つの実施形態の多くの可能な変形例を経済的に構成することができる。たとえば、エネルギ経路構成のいくつかの可能な実施形態のうち少なくとも１つの実施形態の、内部の、平行な相補的なエネルギ経路を近くに配置することによって、直接電圧を印加された回路動作に統合されず、また、内部の平行で相補的なエネルギ経路に直接結合されているわけでもない、シールディングエネルギ経路の上またはこれに沿って生成する、低インピーダンスエネルギ経路またはブロッキング機能の生成が可能になる。
【００３５】
エネルギ経路構成のいくつかの可能な実施形態のうち少なくとも１つの実施形態内に見出される少なくとも第３のエネルギ経路の一部は、第１のエネルギ経路と第２のエネルギ経路の少なくとも一部のうち全部でなくてもほとんどに近接するか、または、間接的に隣接して部分的に囲むことができる。これによって、エネルギ経路構成のいくつかの可能な実施形態のうち少なくとも１つの実施形態によれば、少なくとも２つ、しかし３つまたは３つ以上の、分離したエネルギ経路が提供される。たとえば、第１のエネルギ経路と第２のエネルギ経路が、差分および／または相補的なエネルギ経路および／または電力／戻り経路の少なくとも１つの対の少なくともそれぞれである場合、同時に、少なくとも第３のエネルギ経路は、媒体８０１および／または材料部分８０１の少なくとも一部によって、第１のエネルギ経路と第２のエネルギ経路から物理的および導電的に分離することができる。
【００３６】
エネルギ経路構成のいくつかの可能な実施形態のうち少なくとも１つの実施形態によれば、少なくとも第３のエネルギ経路は、たとえば互いの直接物理的な結合から動作可能に電気的に分離された、回路および／またはバスラインの少なくとも第１の既定の部分と第２の既定の部分を使用するのではなく、たとえば回路および／またはバスラインおよび／または分離したアースおよび／または分離した導電領域および／または外部の導電領域（全部は図示せず）の既定の部分に導電結合するために使用でき、これによって、ブロードバンド周波数バイパスおよび／またはデカップリングの手段を提供することができる。
【００３７】
このエネルギ経路構成はこのようにして、たとえば、外部に結合され配置された回路部分またはデバイスと組み合わせて配置することによる、差分モード電流とコモンモード電流などから生じる、望ましい場合もあれば望ましくない場合もある電気放射または電磁気放射を最小化、抑制、デカップリング、フィルタリング、またはその他の方法で修正することができる。さらに、エネルギ経路構成は、シールディングエネルギ経路が、奇数の重なったシールディング電極から形成される導電シールディング構造を含むという点で、バランスを提供することができ、全シールディング構造は、シールディングエネルギ経路に隣接する相補的な電極対に対してバランス作用を行なう。
【００３８】
したがって、エネルギ経路構成のいくつかの可能な実施形態のうち少なくとも１つの実施形態は、スムーズ化とエネルギ調節動作を可能にしながら、種々のスムーズ化および／またはエネルギ調節動作の望ましい程度は、集合的に本体の相補的電極部分８０の互いに対する種々のそれぞれ既定の構成、および、対および／または本体シールディング電極部分８１に対する構成による、望ましいエネルギ調節の既定のコントラストの関数となりうる。これらの望ましい関数（複数可）は、部分的には、種々のそれぞれの相対的な大きさの差、対称性および／またはバランス構成、全体およびそれぞれの支点に対する配置、８００／８００−ＩＭなどのエネルギ経路、および／または、位置および／または配置の相補性、シールドおよび／またはシールディング電極の重なりまたは許可される望ましいエネルギの漏れ、および／または、新しいエネルギ経路構成ファミリーのいくつかの可能な実施形態のうち少なくとも１つの実施形態に対して外部であるかおよび／またはエネルギ経路構成のいくつかの可能な実施形態のうち少なくとも１つの実施形態の内部での、所定の素子の非接続および／または非結合など、互いの関係に部分的に拠るものである。
【００３９】
さらに、エネルギ経路構成のいくつかの可能な実施形態のうち少なくとも１つの実施形態は、回路、または、デバイス、回路部分内に配置することができ、電圧を印加して、差分モードフィルタリングとコモンモードフィルタリングを同時に行うなど、所望のおよび／または既定の周波数範囲全体にわたって電磁干渉（ＥＭＩ）フィルタリングを提供することができる。当業者であれば理解されるように、既定の周波数範囲は、選択に従って広くても狭くてもよく、電極、および／または、媒体８０１、および／または、シールディング選択、および／または、素子配置選択に依存している。差分モードフィルタリングとコモンモードフィルタリングを同時に行う機能は、多くの場合、ソースとエネルギ使用負荷の間に接続された回路にも使用することのできるサージ防止機能を提供するために、新しいエネルギ経路構成ファミリーの多くの可能な実施形態のうち少なくとも１つの実施形態で使用することができる。
【００４０】
例としての実施形態のマルチレイヤのオフセット電極対の既定の位置的なシフトは、たとえば、実質的にバイパスされた構成またはフィードスルー構成で構成することができ、たとえば単一のチップまたはマルチターミナルまたはマルチポイント電極チップアレイアセンブリの一部として形成することができ、また本明細書に説明するように、近くのおよび／または隣接するオフセット電極の互いから、全体としてまたは部分的に物理的にシールドすることができる。より具体的には、例としての実施形態のエネルギ経路は、たとえば、電圧印加時などに劣化または障害なしに、比較的広い周波数のエネルギを伝送するために、少なくとも１つの既定の構成の中で、受動的な重なったシールディングと電極のアーキテクチャを含むことができる。
【００４１】
エネルギ経路構成のいくつかの可能な実施形態のうち少なくとも１つの実施形態のより具体的な実施形態では、既定の所望の調節特性を有する材料８０１は、エネルギ経路および／または電極の間に間隔を提供するか、および／または、エネルギ経路内の導電部分の間の導電結合を容易にするか、および／または、構成の電極を絶縁するか、および／または構造的な支持を提供するか、および／または、構成のシールディングと電極の間に正しい間隔で離れた距離を提供するために、エネルギ経路の導電体および／または電極など種々の素子を囲む相当な数のポイントの間に介在させ、これらに非導電結合することができる。
【００４２】
これらの材料８０１は、たとえば、電極に対して、全般に包み込み隣接する関係で方向づけることができる。材料８０１は各材料８０１全体または材料８０１の間で均一な性質を有しない場合もあり、非均一性は、エネルギ経路構成の全部または一部の電気的な性質を変える場合もある。材料８０１またはその一部は、空気、半絶縁体、高いＫ定数と低いＫ定数の誘電体を含む絶縁体、容量性材料、誘電材料、強磁性体材料、フェライト、シェール（ｓｈａｌｅｓ）、金属酸化物、バリスタ（ｖａｒｉｓｔｏｒｓ）、積層板、化学的にドーピングされた材料、マルチ積層材料、シリコンやゲルマニウムやガリウムヒ酸やガリウムヒ素などの半導体材料、または、これらの材料と他の材料の化合物や組み合わせなどを含む絶縁体から選択できる。典型的な実施形態では、材料８０１は、たとえばＸ７Ｒ、ＭＯＶ、ＣＯＧ材料８０１などの絶縁性を含む。さらに当業者であれば理解されるように、たとえば、無水ピロメリット酸と４ジアミノフェニルエーテルの間の重縮合反応から生じるフレキシブルフィルムのフォームファクタの形であるポリイミドポリマまたはこの任意の誘導体などを、材料８０１として実装することができ、このポリマはさらに他の化合物または材料と組み合わせることもできる。
【００４３】
材料８０１の既定の性質を有する部分は、導電材とは別に提供しなくてもよいことに注意されたい。この場合、まず第１に材料８０１は必ずしも、電極材料蒸着を受けるように実現可能か動作可能である必要はなく、あとから受け取るように動作可能に作成してもよい。たとえば、電極７９９またはエネルギ経路材料７９９は、化学的に変化したか、操作されたか、ドーピングされたか、触媒で処理されて、元の半導電性または非導電性の状態から導電性の状態になった、材料８０１の少なくとも一部を含む工程によって部分的に導出するか、または部分的または全体的に作成してもよい。
【００４４】
さらに、エネルギ経路構成のいくつかの可能な実施形態のうち少なくとも１つの実施形態のこのより具体的な実施形態では、導電体および／またはフレキシブルな導電材などのエネルギ経路は、Ａｇ、Ａｇ／Ｐｄ、Ｃｕ、Ｎｉ、Ｐｔ、Ａｕ、Ｐｄ、および／または他の金属、および／または導電的に作成された材料、および／またはこれらの組み合わせから選択することができ、これらの導電体は、抵抗性材料が適切な希釈剤で希釈された酸化ルテニウムなどの金属酸化物など抵抗性材料と組み合わせて、エネルギ経路を形成することができる。さらに、エネルギ経路は、たとえばマイラーフィルムまたは印刷回路基盤材料、ポリシリコンのドーピング、焼結した多結晶、金属、ポリシリコンケイ酸塩、ポリシリコンケイ化物などの導電材を作成するために使用される物質および工程を含むか、および／またはこれらから形成することができる。さらに、米国特許第６，２１４，４２２号で教示されたような、種々のハイブリッドポリマフィルム、プラズマ処理した面、真空蒸着、金属化した薄膜、箔キャパシタ、受動素子用のＰＰとＰＰＴ、プラズマ処理された面（複数可）を有する放射で硬化可能なアクリル酸ポリマを使用してエネルギ経路を形成することができ、この特許は参照により本明細書に組み込まれている。当業者であれば明らかなように、エネルギ経路は全体として均一な性質を有しなくてもよく、エネルギ経路間で一貫した性質を有しなくてもよい。
【００４５】
エネルギ経路構成のいくつかの可能な実施形態のうち少なくとも１つの実施形態によれば、たとえば、薄膜受動素子は、少なくとも０．５Ｊ／ｃｍ．ｓｕｐ３のエネルギ密度を有するマルチレイヤ受動構成要素などのマルチレイヤ受動構成要素を使用して形成できる。ここで、少なくとも３つの交互に配置され真空蒸着された金属電極層があり、各電極層は、まずモノマ層を蒸着し、ついでモノマ層を放射硬化して形成された、蒸着または真空蒸着され、硬化または放射で硬化されたポリマ誘電体部分によって分離されて、電極の有効領域を画定する。これらの交互に配置された複数の金属電極層は、単一の層かマルチレイヤの、スパッタリングまたは半田付けされた材料部分または導電材でコーティングされた終端部分によって、各外側の周辺縁部分において終了していてもよい。この素子の形成は、たとえば真空内の連続的な１ステップ加工を含んでいてもよく、各電極は金属蒸発によって形成することができる。ポリマ層の上に金属層を形成することを繰り返して、真空蒸着され放射硬化されたポリマ誘電部分によって分離された、種々の複数の真空蒸着され交互に配置された金属電極を形成することができる。マルチレイヤの受動構成要素は、たとえば、第１の方向に沿って切断して単一の受動エネルギ調節ストリップを形成し、次に第１の方向と直交する第２の方向に沿って切断して個別の受動エネルギ調節構成要素に切断するなどで、複数のマルチレイヤ受動構成要素に切断してもよい。個別の受動エネルギ調節構成要素を切断することによって、電極層は、たとえば、ポリマ層に必ずしも組み込むか入れられなくてもよい相対する電極端に直交する電極縁に沿ったポリマ層に組み込むか入れることができ、これによって、直交する縁または周辺部分に沿った電極層の間のアークおよび／または漏れ電流を防ぐ非導電部分または非導電領域を形成することができる。
【００４６】
このより具体的な実施形態では、実質的に共通の形状と大きさを有し、各々が互いに導電結合された少なくとも第１のシールディング、第２のシールディング、第３のシールディングは、実質的に共通の大きさと形状の少なくとも第１の電極と第２の電極を挟む。第１の電極は少なくとも部分的に第１のシールディングと第２のシールディングの間に挟まれ、第２の電極は少なくとも部分的に第２のシールディングと第３のシールディングの間に挟まれる。第１の電極と第２の電極は互いから、少なくとも部分的にまたは完全に分離されシールドされ、互いに対して対称的であるかおよび／または相補的な構成で配置され、第１の電極と第２の電極は各々、少なくとも１つの対応する領域において他に対して大きさが実質的に等しい少なくとも１つの対応する対面する電極領域を有し、さらに、第１の電極と第２の電極は各々、他の対応しない対面する領域と実質的に等しい、少なくとも１つの対応する対面しない電極領域を有する。対面領域、非対面領域、電極、および／またはシールディングはどれも、フレキシブルまたはセミフレキシブルか、剛性であってもよい。
【００４７】
このエネルギ経路構成はついで、テストまたは調節などのためにより大きな回路構成に結合することができる。たとえば、回路構成回路は、グループ化された隣接する電極内部の分圧と相対する圧力のバランス化を示してもよく、および／または回路構成内の最小化されたヒステリシスまたは圧電効果を可能にする。瞬間的なエネルギ伝播を提供するためにスイッチング応答または特定の時間制限が必要であった関連技術では、これらの効果に頻繁に遭遇する可能性があったが、例としての実施形態を使用することによって改善することができる。これによって、エネルギ経路構成のいくつかの可能な実施形態のうち少なくとも１つの実施形態では、実施形態はたとえば、エネルギソースからそれぞれの負荷、および／または負荷からソースへ戻るように接続または結合されたエネルギ入力経路およびエネルギ出力経路に沿うなど、上述の第３のエネルギ経路などの共通エネルギ基準の両方の電気側面上に同時に開いたエネルギ伝播として、バイパス構成またはフィードスルー構成とすることができる。エネルギ経路構成のいくつかの実施形態のうち少なくとも１つの実施形態による、電極とエネルギ経路が交互に配置された材料は、全体的な大きさとシールディングの間に配置された電極対の数に少なくとも部分的に依存する、ナノファラッド（ｎＦ）から１ファラッド（Ｆ）範囲のキャパシタンスを伴う、１０００ボルト（Ｖ）まで有効なエネルギコンディショナとして動作することができる。
【００４８】
このより具体的な実施形態では、構成の他の素子を、互いに対して全般に平行な関係の方向に配置してもよいし、および／または所定の素子を垂直な関係で配置してもよい。したがって、エネルギ経路は水平に配置してもよいし垂直に配置してもよい。本明細書に記載されたすべての素子は、たとえば、隣接する素子または回路と別々の電気的な関係を維持しながら、非絶縁の導電的な開口部または導電性のスルーバイアスを含むことができる。
【００４９】
例としての実施形態の差分容量バランスまたは誤差バランス特徴が生じる場合があり、これは、素子の配置、大きさ、分離、接続配置によって制御可能であり、たとえば、３％の内部の容量誤差で製造されたエネルギ経路構成を可能にする。バランスは図４から図１０に関してさらに次に論じる。この内部バランスは、相関する３％の容量誤差で、接着されるかまたは結合され、電圧を印加された回路に渡されてもよい。
【００５０】
図１、図２、図３に関しては、エネルギ経路構成のいくつかの可能性な実施形態のうち少なくとも１つの実施形態は、それぞれ電極リード部分８１２”ＸＸ”と７９Ｇなどの長い拡張部分または拡張を含むことのできる、相補的なエネルギ経路および／またはシールディングエネルギ経路を有する。相補的なエネルギ経路および／またはシールディングエネルギ経路の本体部分８０、８１はそれぞれ、これらの電極リード部分８１２”ＸＸ”と７９Ｇを含むか、またはこれらに電気的に接続することができる。たとえば、本体部分８０と、８１２Ａ１に関して拡張部分（複数可）８１２”ＸＸ”を有するエネルギ経路は、近接するかまたは隣接して挟むシールディングエネルギ経路および／またはそれぞれの本体部分８１の間に少なくとも部分的に位置合わせされた本体部分８０を有することができる。
【００５１】
エネルギ経路構成のいくつかの可能な実施形態のうち少なくとも１つの実施形態によって、使用されるケージ状の導電シールド構造の一部を図１から図３に示す。図３Ａは、図１から３と同様な、ケージ状の電極シールド構造４００の一部を示し、同様な実施形態の同様な断面図９９９を図３Ｂと図３Ｃに示す。図１では、中央に配置され共有されたシールディングエネルギ経路８００／８００−ＩＭが既定の性質を有する材料８０１または部分８００−Ｐの上の一部の上に配置されて（ｄｅｐｏｓｅｄ、供述する、退ける）示される。材料部分８０１または材料８０１のプレートの上に配置されたエネルギ経路８００／８００−ＩＭ、バイパス電極８５５ＢＴと８５５ＢＢは、それぞれ８５５ＢＴ−Ｐと８５５ＢＢ−Ｐであってもよい。プレート８５５ＢＴ−Ｐと８５５ＢＢ−Ｐは、共有され中央に配置されたシールディングエネルギ経路８００／８００−ＩＭ−Ｐを挟むために配置された、全般に平行なシーケンシャルスタックに配置された、既定の性質を有する材料８０１の少なくとも一部であってもよい。
【００５２】
本明細書に全般に説明されたように、シールディングエネルギ経路８００／８００−ＩＭと、バイパスエネルギ経路８５５ＢＴと８５５ＢＢは、対称的な逆鏡像の関係に配置され、スタックされたシーケンシャルな製造工程に基づいていてもよい。この配置の結果、たとえば図１、図２、図３Ｃに示されるように、バイパスエネルギ経路８５５ＢＴと８５５ＢＢと、中央に配置された経路８００／８００−ＩＭの上と下に、シールディングエネルギ経路のスタッキングが形成される。
【００５３】
たとえば媒体材料８０１がバイパス経路８５５ＢＴと８５５ＢＢの上と下に配置できる。中央に配置され共有されたシールディングエネルギ経路８００／８００−ＩＭ，シールディングエネルギ経路８１５、８１０、オプションのシールディングエネルギ経路８５５／８５５−ＩＭと８５０／８５０−ＩＭ、差分バイパスエネルギ経路８５５ＢＴと８５５ＢＢは各々、平行に介在するかまたは蒸着された材料８０１によって全般に分離された本体部分８１と８０を含む。
【００５４】
各シールディングエネルギ経路は、重なった位置合わせの関係がシールディングエネルギ経路の縁８０５の実質的に全部に共通で共有される周辺縁アライメントという結果になるように実質的に並べることができる。８０５縁は各シールディングエネルギ経路のコプラナな周辺部周辺に位置し、上記のように拡張部７９Ｇのような各シールディングエネルギ経路と一体化した本体部分８１と、隣接する拡張部とを含んでいてもよい。
【００５５】
図１から図３に示されるように、隣接する電極拡張部７９Ｇは、各シールディングエネルギ経路８５５／８５５−ＩＭ、８４５、８３５、８２５、８１５、８００／８００−ＩＭ、８１０、８２０、８３０、８４０、８５０／８５０−ＩＭと隣接して形成され、それぞれ本体部分８１から離れ周辺および／または境界縁８１７に向かって伸びる形態で形成または製造された、導電材７９９の並んだ部分であってもよい。各隣接する拡張部７９Ｇは、最終的にはそれぞれ、導電部８０２Ｂまたは８０２Ａと結合される。少なくとも１つの実施形態によって、多数の導電性結合ローカルを各シールディングエネルギ経路８５５／８５５−ＩＭ、８４５、８３５、８２５、８１５、８００／８００−ＩＭ、８１０、８２０、８３０、８４０、８５０／８５０／−ＩＭの縁８０５の一部に提供するか、および／または、少なくとも４つの側面のうち少なくとも３つのすべてに追加のシールディング分離を提供するために、互いに１つの共通導電性結合を少なくとも共有するシールディングエネルギ経路を含む、相互接続されたシールディング導電性構造に加えて、エネルギ経路構成のいくつかの可能な実施形態のうち少なくとも１つの実施形態の本体周辺に少なくとも２７０度から３６０度で伸びる導電材料部分８０２として巻きつける形で含めてもよい。このエネルギ経路構成のいくつかの可能な実施形態のうち少なくとも１つの実施形態は、実施形態の離散チップバージョンと共に使用でき、８０２Ａ部分と８０２Ｂ部分の必要性をなくし、少なくとも１つの相補的なエネルギ経路対の相補的なエネルギ経路に導電結合されない外部に配置されるエネルギ経路を伴う。参照により本明細書に組み込まれた１９９７年４月８日に提出された米国特許第５，９０９，３５０号は導電材料部分８０２の例を含み、このコンセプトを説明するために使用できることに注意されたい。既定の中央に配置されたシールディングエネルギ経路は、層の数、バランスの取れた素子の位置的な配置、これらの種々の素子に与えられた距離関係に関して、バランスの取れた三次元の対称的な層の構成のバランスポイント、または支点／仕切りとしての役割を果たし、これによってこの結果できたバランスの取れた三次元の対象性の構成が、シールディングの少なくとも一部について存在、維持できるようにし、これによって離散実施形態と共に使用するために導電材８０２の単一の”包み込む”応用を使用することによって外部に配置されたエネルギ経路への少なくとも１つの共通導電性結合を共有することを可能にし、これによって、部分８０２Ａと８０２Ｂと示されている同じ導電材８０２の２つの”非包み込み部分”を除去することを可能にする。ここで８０２Ａと８０２Ｂなどの導電材部分は外部に配置された共通エネルギ経路と導電結合される。
【００５６】
シールディングエネルギ経路の本体部分８１の部分の実質的に全部が、既定の外側の縁８１７に対して少なくとも平均で既定の距離８１４だけオフセットできることに注意されたい。さらに、エネルギ経路８５５ＢＴと８５５ＢＢは、各エネルギ経路８５５ＢＴと８５５ＢＢの外側の縁８０３の部分が、重なったシールディングエネルギ経路の縁部分８０５のアライメント部によって重なることができるように、シールディングエネルギ経路の並んだ縁の外側の縁８０５から、追加の距離８０６をオフセットしてもよい。したがって、エネルギ経路８５５ＢＴと８５５ＢＢは、エネルギ部分が伝播するために動作可能な任意の所与のシールディング領域の、エネルギ部分が伝播するために動作可能な導電領域より小さな、エネルギ部分が伝播するために動作可能な導電領域を、またはエネルギ部分が伝播するために動作可能な導電領域を含むことができる。このようにして、挟み込むシールディングエネルギ経路のうち任意の１つは、任意の１つの相補的な電極の上下の合計の、合計の動作可能な領域よりも大きな、上下の合計の導電領域を所有することができる。
【００５７】
導電材部分８０２Ａと８０２Ｂが既定のシールディング８０５の一部と導電結合することができる場合回路の一部として動作でき、差分経路は少なくとも２つのシールディングによって少なくとも部分的に挟まれ、各差分電極は重なったシールディングの各々に対して全体の大きさがより小さい、エネルギ経路構成のいくつかの可能な実施形態のうち少なくとも１つの実施形態によれば、差分電極は重なったシールディング内でオフセットされ、間隙領域８０６を形成する。これによって、少なくとも２つの重なったシールディングエネルギ経路の各々の少なくとも一部は、電極によって直接ブロックされるこれらの少なくとも２つのシールディング経路の間の視野方向を有しない場合がある。図３Ａの典型的な実施形態では、差分電極８５５Ｂが差分電極８５５ＢＴと相対して配置されることを除いて、単一のケージ状構造８００Ｅは単一のケージ状構造８００Ｄの鏡像である。
【００５８】
エネルギ経路リード部分７９’Ｘ’、８１２’Ｘ’または７９８’Ｘ’は好ましくは導電性である。これらの電極リード部分７９’Ｘ’は、エネルギコンディショナ本体の側面の異なる側面部分に関して相対的で相補的な対になった関係で配置でき、より大きなシール
ディング電極８”ＸＸ”によって分離できる。
【００５９】
図３Ａに示されるように、８８５ＢＴ、８６５ＢＴ、８５５ＢＢ、８７５ＢＢの差分電極のグループと、８７５ＢＴ、８５５ＢＴ、８６５ＢＢ、８８５ＢＢの差分電極のグループは、共通の導電性ケージ状シールディング構造内で既定のシーケンスで３次元配置スキーマの中に入れることができる。
【００６０】
たとえば図３Ａに示されるようにたとえば構造８００Ｃ、８００Ｄ、８００Ｅ、８００Ｆ、８００Ｇは、個別に見ると６つのシールディング８２５、８１５、８００／８００−ＩＭ、８１０、８２０、８３０を含み、シールディング構造９００Ａ、９００Ｂ、９００Ｃとして動作可能な時は、６つのシールディング８２５、８１５、８００／８００−ＩＭ，８１０、８２０、８３０は、動作可能なシールディング構造９００Ａがシールディング８００／８００−ＩＭ、８１０、８２０を使用し、動作可能なシールディング構造９００Ｂがシールディング８１５、８００／８００−ＩＭ，８１０を使用し、動作可能なシールディング構造９００Ｂがシールディング８１０、８２０、８３０を使用するように既定の方法で混ぜ合わせ、重ねることができる。面白いことに、すべての３つの動作可能なシールディング構造９００”Ｘ”がシールディング８１０を使用できることに注意されたい。さらに、８００Ｅと８００Ｆは、被シールド側導電コンテナの対としての役割を果たす単一のより大きな共通導電性ケージ状電極シールド構造９００Ａを生成し、８００Ｅと８００Ｆはまたそれぞれ、９００Ｃと９００Ｂの一部を構成する。
【００６１】
各コンテナ８００”Ｘ”は、より大きな構造９００”Ｘ”の中に、必ずしも物理的に相対していない等しい数の同じ大きさの差分電極を含んでいてもよい。各コンテナ８００”Ｘ”は、全般に（ｇｅｎｅｒａｌｌｙ、大体、ほぼ、概ね）同質な物理的および電気的に平行で共通の方向に配置できる。当業者であれば理解されるように、より大きなケージ状の導電シールディング構造９００Ａは、共に作用する８００Ｅと８００Ｆの個別のシールド状導電構造と共に、電圧を印加されると、逆流半田導電エポキシ、接着剤などによって導電材部分８０２Ａと８０２Ｂによって同じ外部の共通導電経路領域（図示せず）に接着される。
【００６２】
図１では、外側の２つの追加の挟む側のシールディングエネルギ経路８１５と８１０の中で、差分電極８５５ＢＴと８５５ＢＢの間の介在に関して、中央のシールディングエネルギ経路８００／８００−ＩＭは、電圧を印加されないケージ状の電極シールド構造９００Ｂを形成する。これによって、差分電極８５５ＢＴと８５５ＢＢの両方が中央のシールディングエネルギ経路８００／８００−ＩＭを同時に使用し、電荷切り替えに関して反対の結果を生むことができる。他のエネルギ経路８５５ＢＴと８５５ＢＢの間、および／またはここに結合された外側の差分エネルギ経路の間の近場結合の低減という結果を生む、電圧を印加されたファラデー状ケージシステムの静電シールディング効果がなければ、エネルギ経路８５５ＢＴと８５５ＢＢの縁８０３を越えて伸びていたであろうエネルギ束フィールドの部分に対してシールドを提供するために、オフセット距離と領域８０６により、シールディングエネルギ経路８００／８００−ＩＭは、エネルギ経路８５５ＢＴと８５５ＢＢのアライメントを超えて伸びることが可能になる。
【００６３】
水平領域８０６はたとえば、エネルギ経路８５５ＢＴまたは８５５ＢＢとシールディングエネルギ経路８００／８００−ＩＭの間の垂直距離よりも０倍から２５＋倍または２５倍以上であってもよい。このオフセット距離８０６は、特定の用途に関して最適化できるが、理想的には各経路の間の重なりの距離８０６はすべて、平均でほぼ同じである。たとえば図２の静電シールディングが完全に犠牲にならない限りは、経路間の領域８０６の間の大きさの間の小さな差は重要ではない。
【００６４】
電極８５５ＢＴまたは８５５ＢＢを、８００Ｂのいずれかの側面など８５５ＢＴまたは８５５ＢＢの外部に位置する外部のエネルギ経路にそれぞれ結合するために、エネルギ経路８５５ＢＴと８５５ＢＢは、重なったシールディング８００／８００−ＩＭ、８１０、８１５の縁８０５を拡張部８１２Ａと８１２Ｂだけ越えて伸びる１つまたは複数の部分８１２を有することができる。これらの拡張部はさらに、材料８９０Ａと８９０Ｂに導電結合され、これによって、バイパスエネルギ経路８５５ＢＴと８５５ＢＢが、シールディング経路８００／８００−ＩＭのいずれかの側面に電気的に配置された外側の差分エネルギ経路に電気的に結合できる。マルチレイヤ構成要素は、少なくとも１つの材料８９０Ａおよび／または８９０Ｂと、複数の電気端末部分８０２Ａと８０２Ｂとを含み、各材料８９０Ａまたは８９０Ｂは、図２にそれぞれ示されるように少なくとも第１の電極または第２の電極にそれぞれ導電結合できる。たとえば、少なくとも３つの素子が、同時のキャンセルおよび／または抑制、および／または差分モードフィルタリングとコモンモードフィルタリングを同時に行うなどのほかのエネルギ調節機能を提供できるという事実のため、マルチレイヤ構成要素は、マルチプロセシングユニット、コネクタアセンブリ、バイパスとデカップリングキャパシタ、バイパスキャパシタアレイ、フィードスルーキャパシタアレイのためにデカップリングキャパシタを画定するように構成できる。
【００６５】
さらに、内部で生成したエネルギ寄生が帯電して閉じ込められる、ケージ状効果または静電シールディング効果は、それぞれ対になった相補的なエネルギ経路本体部分８０からシールドするために発生する。部分的な静電シールディングは、近くの対になる相補的な導電エネルギ経路に、内部で生成されたエネルギ寄生の一部が逃げることを防ぐための保護を提供する。静電シールディング機能はまた、既定の領域内の既定の相補的なエネルギ経路のバランスのとれたおよび／または比例して（ｐｒｏｐｏｒｔｉｏｎａｌ、つりあって、相対的に）対称的に一致したはめ込みの、少なくとも実質的に閉じ込めるまたは実質的に物理的なシールディングによって、電圧を印加された相補的なエネルギ経路によるエネルギ寄生を最小化する助けともなる。
【００６６】
図３Ｂと図３Ｃに関して、共通エネルギ経路に含まれる、位相が相対する電気的に相補的な動作の分離の距離が非常に小さくても、材料８０１’シールディング’機能を含む導電材部分と非導電材部分の介在を使用できることに注意されたい。共通導電シールド構造の相対する側面の間でバランスのとれた方法で、種々の電気的に相対する等しい大きさのエネルギ経路の反対物を使用するエネルギ部分が相互作用できるように、共通導電部分への結合が行われた時、さらに動作が発生する。
【００６７】
遊離寄生の抑制と封じ込め機能が同時に行われ、位相が相対する電気的に相補的な動作の直接的分離または間接的分離またはその両方の、非常にわずかな距離（複数可）だけ互いから離れている電気的に相対する導電エネルギ経路対に沿って伝播するエネルギの種々の部分の例外的な相互エネルギ束キャンセルは、協力して動作して例としての実施形態の機能を強化する。Ｈ場場束は、伝送経路、トレース、ライン、導電体または導電層部分に沿ってアンペアの法則によって伝播する。１つの実施形態では、エネルギ入力経路とエネルギ戻り経路が互いに非常に近接し、少なくとも２つの材料部分８０１だけの最小分離でほとんど直接隣接し平行になっており、シールディングエネルギ経路と、対応する相補的なエネルギ場の部分は、別の個別の効果の相互のキャンセルまたは最小化のために組み合わせることができる。相補的で対称的な経路が近づけば近づくほど、相互キャンセル効果はよくなる。
【００６８】
＃−ＩＭ’Ｘ’と示されるような所定のシールディングエネルギ経路は、エネルギ経路構成のいくつかの可能な実施形態のうち少なくとも１つの実施形態のエネルギ経路の残りと非常に近接してその外側でこれらを挟んだ位置の、追加に配置されたシールディングエネルギ経路であってもよい。
【００６９】
図３Ｂ、図８Ｂ、図８Ｃに開示されているように、追加に配置された外側のシールディングエネルギ経路は−ＩＭＯ−’Ｘ’と示される。追加に配置された内側のシールディングエネルギ経路は８”ＸＸ”／８”ＸＸ”−ＩＭ−Ｃを例外として、−ＩＭＩ−Ｘ’として示され、オプションであってもよい。追加に配置された外側と内側のシールディングエネルギ経路はまた、他のシールディングエネルギ経路との間でまた互いに、８”ＸＸ”／８”ＸＸ”−ＩＭと示された中央のシールディングエネルギ経路に対して、及び少なくとも１つの実施形態の最終的なスタティックな形態の複数のシールディングエネルギ経路のほとんど任意の他の部材に対して、導電結合してもよい。中央に配置された共通エネルギ経路電極８”ＸＸ”／８”ＸＸ”−ＩＭの追加の数は合計で、既存の中央に配置されたシールディングエネルギ経路またはシールディングエネルギ経路８”ＸＸ”／８”ＸＸ”−ＩＭに追加できる奇数であり、マルチ回路エネルギ調整を強化できる特定の独特な特徴を提供できることが企図されている。
【００７０】
図３Ｂと図３Ｃでは、たとえば８０１材料の一部で満たすことのできる間隔分離距離は、８０６、８１４、８１４Ａ、８１４Ｂ、８１４Ｃ、８１４Ｄ、８１４Ｅ、８１４Ｆと示すことができ、通常は素子関連構成で最終的であってもよい。
【００７１】
たとえば分離または間隔距離８０６、８１４、８１４Ａ、８１４Ｂ、８１４Ｃ、８１４Ｄ、８１４Ｅ、８１４Ｆ、８１４Ｅは全般に、所望のエネルギ経路の支持と分離または間隔機能を助けるために、８１４Ｅなどエネルギ経路および／または電極部分に形成される、ほとんど隣接するか近接してスタックされたエネルギ経路材料の間にある３次元分離距離の一部または間隔に近接していてもよく、たとえば、シールディングエネルギ経路８２５とシールディングエネルギ経路８１５の間の関係を示し、相補的なエネルギ経路８６５ＢＴの一部だけを含むのではなく、材料８０１または材料８０１の同等物の少なくとも一部を含んでいてもよい。間隔６６６は、たとえば８１７周辺部内または８１７周辺部を超えて見いだされる領域を示し、本明細書に記述されるように同時のエネルギ調節機能が動作可能であるために最小である。
【００７２】
１実施形態では、エネルギ経路構成のマルチレイヤ構成要素は、互いに導電結合され、既定の性質を有する支持材の上に形成できる、少なくとも３つの共通の大きさの重なったシールディング電極を含んでいてもよい。少なくとも第１の電極と少なくとも第２の電極は、既定の性質を有する支持材の上に既定の方法で形成でき、第１の電極は、少なくとも３つの共通の大きさの電極のうち少なくとも２つの共通の大きさの電極の間にスタックできる。第２の電極は少なくとも３つの共通の大きさの電極のうち少なくとも２つの共通の大きさの電極の間にスタックでき、これによって、第１の電極と第２の電極は３つの共通の大きさの電極のうち１つの中心に配置された共通の大きさの電極を挟み、一方、第１の電極と第２の電極は既定の距離などで３つの共通の大きさの電極に対して実質的に等しくオフセットすることができ、支持材は３つの共通の大きさの電極を第１の電極と第２の電極から分離することができ、これによって、第１の電極と第２の電極と、少なくとも３つの共通の大きさの電極の間の直接導電結合を防ぐことができる。
【００７３】
これによって、第１の電極は少なくとも３つの共通の大きさの電極のうち少なくとも２つの共通の大きさの電極の間にスタックでき、第２の電極は少なくとも３つの共通の大きさの電極のうち少なくとも２つの共通の大きさの電極の間にスタックすることができ、これによって、第１の電極と第２の電極が、少なくとも１つの中央に配置された共通の大きさの電極に対して実質的に等しくオフセットされ、これらの電極の間の直接電気結合を防ぎ、非離散的または離散的エネルギ調節電極構造を形成するように、第１の電極と第２の電極は、少なくとも３つの共通の大きさの電極のうち少なくとも１つの中央に配置された共通の大きさの電極の少なくとも一部を挟む。
【００７４】
当業者であれば、ここに論じた素子の形状、厚さまたは大きさは、電気的な用途に依存して変えてもよいことが明らかであろう。例としての実施形態の素子は、エネルギ経路の構成が少なくとも２つの既定の導電シールディングコンテナを形成し、ついで少なくとも１つのより大きな、少なくとも部分的にファラデーケージ状のシールド構成を形成し、さらに電圧印加など所定の状態で、少なくとも１つの電圧を印加された回路部分との組み合わせなどで離散変形例または非離散変形例のいずれかで、開示された原理で動作する相補的な差分電極対の部分に、同時にシールディング機能を提供するように変更してもよい。
【００７５】
典型的なエネルギ経路構成の１実施形態は、図４Ａ、図４Ｂ、図４Ｃに、相補的で対称的にバランスのとれたエネルギ経路構成として示される。特に図４Ｃを参照すると、複数の連続して重なったエネルギ経路８１５、８５５ＢＴ、８００／８００−ＩＭ、８５５ＢＴ、８１０が示されている。これらのエネルギ経路は、たとえば、バリスタ材特性、または、主に強磁性材特性、主に誘電性材特性を有する材料８０１から作成してもよく、図示されているように８０６、８１４、８１４Ａ、８１４Ｃ、８１４Ｄ、８１４Ｅ、８１４Ｆによって離してもよい。続くエネルギ経路の各々は、前のエネルギ経路の上に重なっており、たとえば、第３の経路８００／８００−ＩＭは第２の経路８５５Ｂの上に配置されている。第１のエネルギ経路８１５は第３の経路８００／８００−ＩＭと第５の経路８１０の両方に導電結合され、１組のシールドを形成できる。シールドの組の各経路は、実質的に同じ大きさであってもよい。
【００７６】
１組の電極はシールドから導電的に分離されている。電極の組は、第４のエネルギ経路８５５ＢＴから少なくとも部分的に導電的に分離された第２のエネルギ経路８５５ＢＴを含む。電極は互いに面して配置された同様な導電領域８０を有する。各電極は実質的に同じ大きさであり、各シールドよりも小さい。
【００７７】
図３Ａでは、示されたマルチレイヤ構成要素の例はまた、内側のエネルギ経路と外側のエネルギ経路の間の外側の導電「連絡」のために使用される、８９０Ａおよび８９０Ｂなどの少なくとも１つまたは複数の電極結合材部分を含んでいてもよい。８０２Ａ、８０２Ｂ、８９０Ａ、８９０Ｂなどの結合材部分は、回路接続に関して、ほとんど任意の’連絡’方法に置き換えてもよいか、または直接結合導電素子に置き換えてもよいことに注意されたい。たとえば、図４Ｂと図４Ｃでは、結合導電素子は、バイアホール導電体（ｖｉａ  ｈｏｌｅ  ｃｏｎｄｕｃｔｏｒ、バイア正孔伝導体）８８８Ａなどのバイアホール導電体として示され、当業界で知られた共通導電結合加工によって、少なくとも第１の複数の電極８８５ＢＴ、８６５ＢＴ、８５５ＢＢ、８７５ＢＢに導電結合され、さらに、バイアホール導電体８８８Ｂは、少なくとも第２の複数の電極８７５ＢＴ、８５５ＢＴ、８６５ＢＢ、８８５ＢＢに導電結合され、バイアホール導電体７７７Ａとバイアホール導電体７７７Ｂはたとえば、両方とも８４５、８３５、８２５、８１５、８００／８００−ＩＭ、８１０、８２０、８３０、８４０にそれぞれ導電結合され、場合によってはそれぞれ最終的には、外部の共通エネルギ経路に共通に導電結合することができる。
【００７８】
図４Ａから図４Ｃの他のエネルギ経路構成はまた、少なくともバイパス伝播モード８５５ＢＴ、８５５ＢＢエネルギ経路構成として動作可能であり、第１の経路、第３の経路、第５の経路、８１５、８００／８００−ＩＭ、８１０は、少なくとも第２のエネルギ経路と第４のエネルギ経路８５５ＢＴと８５５ＢＢの一部のシールディングとして動作可能であり、複数の経路８１５、８５５ＢＴ、８００／８００−ＩＭ、８５５ＢＢ、８１０はまた、容量性ネットワークの一部として共に動作可能である。エネルギ経路構成は、サージ防止機能を伴う、コモンモードフィルタリングと差分モードフィルタリングを同時に実行することができる。たとえば８００／８００−ＩＭに示すように、複数のシールド８１５、８００／８００−ＩＭ、８１０のうち少なくとも１つのシールドは、電圧バイパスおよび／または分圧を受けるように動作可能であり、ラインからラインのキャパシタンスの値はラインからアースのキャパシタンスの値の約半分である。
【００７９】
図４Ａから図４Ｃのエネルギコンディショナは、複数のシールドに結合された、少なくとも２つの外側の重なった電極を含んでいてもよく、このシールドは誘電性、バリスタ性、フェライト性を有する材料から構成することができ、重なった電極は分圧器として動作可能である。典型的な実施形態では、これらの２つの外側の重なった電極は、エネルギ使用負荷の役割を果たす回路アセンブリに関して、コモンモードフィルタリングと差分モードフィルタリングを同時に実行するために、電圧を印加された動作のために基板、モータ、回路などの別の素子に導電結合される。
【００８０】
エネルギ経路構成のいくつかの可能な実施形態のうち少なくとも１つの実施形態によれば、図４Ａから図４Ｃのエネルギコンディショナは、近場電気束の一部が図４Ａから図４Ｃのエネルギコンディショナ全体の部分から逃げるのを防ぐように動作しながら、エネルギ寄生の合計量のうち一部の静電シールディングを維持する。図４Ａから図４Ｃのエネルギコンディショナは、離散構成要素または非離散構成要素のいずれかとして、センサの一部または演算増幅器回路アセンブリの一部として動作可能である。１実施形態では、経路、共通エネルギ経路電極、等しい大きさの差分帯電バイパス電極、フィードスルー導電経路電極の数は、既定の方法で増やして、全般に物理的に平行で電気的に並列な関係でいくつかの導電エネルギ経路要素の組み合わせを作成することができ、物理的および電気的に並列な構成は、少なくとも回路エネルギソースと少なくとも回路エネルギ使用負荷の間の、電圧を印加された配置に関して電気的に並列であってもよい。この回路アセンブリ構成はまた、それにより増大したキャパシタンス値を生成する。
【００８１】
図４Ａから図４Ｃを参照すると、共通導電シールド構造が使用できる。この図では、回路接続に使用される任意の外側の導電素子は示されていない。さらに出願者は、主に所定の電気調節機能または結果に分類される既定の性質８０１を有する材料の使用も企図している。これには、たとえば、スーパーキャパシタ用途またはナノサイズのエネルギ調節構成など、製造された非離散集積回路金型の中で非離散の容量性または誘電性の構造または電極を使用する積層された応用も含まれる。たとえば、離散エネルギ経路構成は、樹脂材から製造された材料部分８０１を有するように動作可能であってもよい。同様に、離散エネルギ経路構成の形成は、３０分内に少なくとも摂氏１５度、エネルギ経路構成の少なくとも一部の温度を上げる、焼成または加熱プロセスを含むか、フォトリソグラフィ（ｐｈｏｔｏｌｉｔｈｏｇｒａｐｈｙ）の使用を含んでいてもよい。
【００８２】
図５Ａ、図６Ａ、図７Ａ、図８Ａは、実質的に同じ大きさと形状の複数のシールド８４５、８３５、８２５、８１５、８００／８００−ＩＭ、８１０、８２０、８３０、８４０を示す。この複数は、７７７Ｂと７７７Ａの両方に導電結合できる、少なくとも第１、第２、第３のシールド８１０、８００／８００−ＩＭ、８１５を含む。第１の電極８５５ＢＢと第２の電極８５５ＢＴは、対称的で相互に相補的な方向で、互いから実質的に分離されシールドされるように配置できる。第１の電極と第２の電極は各々、大きさが等しい少なくとも１つの対応する対面した電極部分８１３Ｅを有する。６４００と６５００などのＡＬＩ領域の一部を占める非対面電極領域は、実質的に等しい大きさである。各電極は、非対面領域６４００、６５００と実質的に大きさが等しく比例した、対面電極領域および／または伝播領域８１３Ｅを有することができる。しかし図示されたように、１実施形態では、相補的な電極の対面領域は、部分的にしか重ならない。さらに、図示された実施形態の電極は、シールディングエネルギ経路の重なった縁８０５の外側の周囲内に完全に囲まれていなくてもよい。
【００８３】
図９Ａと図９Ｂには、エネルギ経路構成のいくつかの可能な実施形態のうち少なくとも１つの実施形態のシールディングエネルギ経路が示されており、種々の分割（split）エネルギ経路構成と共に動作可能な少なくとも１つの実施形態を示す。分割エネルギ経路８５５／８５５−ＩＭＯ−１と８５５／８５５−ＩＭＯ−２は、８５５／８５５−ＩＭＯ非分割エネルギ経路と同様に機能する。すべてのエネルギ経路、シールド、電極は、分割エネルギ経路構成を含んでいてもよいが、中央に配置されたシールディングエネルギ経路である任意の既定の８００／８００−ＩＭは例外である。対応する重なった緊密に配置された８５５／８５５−ＩＭＯ−１と８５５／８５５−ＩＭＯ−２経路の対の分割構成は、薄い導電性または導電抵抗性材料（複数可）を含んでいてもよく、これは、図８Ｂに示されるように、８５５／８５５−ＩＭＯと隣接するシールディングエネルギ経路８４５の間にある間隔など、８１４または８１４Ａの間隔および／または距離よりも、通常は薄いかまたは量が少ない、間隔および／または距離８１４Ｂを占める絶縁材部分８０１を含む、半導電性または非導電性支持材８０１の一部によってわずかに分離される８１４Ｂ。分割エネルギ経路は、非分割エネルギ回路より合計エネルギ経路伝播領域を増やすことが可能なので、一部の構成では有利である。
【００８４】
８５５／８５５−ＩＭＯなどのより大きな共通シールディング導電体は、少なくともエネルギ伝導量の増大のため、また、電圧を印加された動作からよりよい熱放散を提供するなど所定の他のエネルギ経路機能を増大するためなどに、分割経路素子を使用するより大きな汎用シールディング構成の一部として含むことができる。分割エネルギ経路構成は、非分割エネルギ経路と比べて、構成されたエネルギ経路の相対的な電流搬送能力を実質的に増大できるので、非分割構成に対して全体の電流処理機能を高めるだけでなく、同じキャパシタンスの同等な構成要素の全体の大きさを低減することができる。
【００８５】
エネルギ経路構成のいくつかの可能な実施形態のうち少なくとも１つの実施形態では、各差分導電エネルギ経路対は、内部のシールディングエネルギ経路の少なくとも一部に沿って生成されたゼロ電圧基準イメージノードを使用することができる。一定の程度のエネルギ調節機能は常に発生できるが、シールディングを受け取る回路の部分が挟む側のシールディング経路の足跡の中にある既定の領域で最適となる。
【００８６】
たとえば、少なくとも部分的にシールドされたエネルギ経路からシールドされた、内部で生成されたエネルギ寄生の閉じ込められた部分の帯電した閉じ込めを有する、物理的なシールディングケージ状効果または静電シールディング効果は、少なくとも部分的にシールドされたエネルギ経路に関して、外部で生成されたエネルギ寄生結合からの、少なくとも一部の物理的なシールディング保護を提供することができる。
【００８７】
さらに、既定の性質８０１を有する材料の部分を伴う、導電材７９９の選択的な介在の既定の構成は、相対して帯電した有効な導電性エネルギ経路の分離が非常に小さな距離でも動作可能な実施形態を可能にする。中央のシールド８”ＸＸ”またはシールド８００／８００−ＩＭに対して、相対的にバランスのとれた相補的に対称的な構成は、バランスのとれた相互の導電部分の構成支点として使用される。
【００８８】
バランスが取れているがシフトされた実施形態内の、電気的に相対する相補的な電極対に沿って伝播するエネルギの少なくとも部分的な束場キャンセル。さらに、遊離エネルギ寄生、相補的に帯電した抑制、物理的および静電的シールディング抑制も同時に発生しうる。この結果は、ＲＦ戻り経路が対応するソールエネルギ経路と通常は平行で隣接しているエネルギ経路に少なくとも部分的に沿って、磁束エネルギが移動するため達成される。ここで、磁束エネルギは時々、戻りエネルギ経路に対して測定されるか観察することができる。
【００８９】
相互に相対する場を組み合わせると、通常はキャンセル効果または最小化効果が観察される。相補的で対称的な方向に配置されたシールドが近づけば近づくほど、相対するエネルギ伝播への相互の相対するよりよいキャンセル効果が生まれる。相補的で対称的な方向に配置されたシールドの方向が重なれば重なるほど、寄生の抑制とキャンセル効果によりよい結果が得られる。これに対応して、これらの特徴は、本明細書で論じたシフトにより変えられる。
【００９０】
シフトされたエネルギ経路の対は、シールディングエネルギ経路８００／８００−ＩＭなど既定の中央のエネルギ経路に関して、相対的にバランスのとれた相補的に対称的および／または相互の配置であってもよいという事が注目される。１実施形態は、既定のシールドと、たとえば８００／８００−ＩＭなどの中央に配置されたシールドを相補的に挟む電極の、相対的にシフトされた、バランスの取れた、相補的で対称的な構成を含むことができる。
【００９１】
図４から図８Ｃなどのエネルギ経路構成のいくつかの可能な実施形態のうち少なくとも１つの実施形態によれば、シフトしたエネルギ経路構成は、シフトされない形かまたはシフトされた形で、シールディングエネルギ経路、エネルギ経路、シールディングエネルギ経路、エネルギ経路、シールディングエネルギ経路を有するように構成された多数の層を含むことができる。これらの多数の層の各々は、既定の中央に配置されたシールディングエネルギ経路を中心とし、これに対して相補的であり、多数は、既定の中央シールディングエネルギ経路を中心としている。相補性とバランスは、既定の中央のシールディングエネルギ経路の周囲で維持することができるが、個別のシールディングエネルギ経路および／またはエネルギ経路は、既定の一致したエネルギ経路対の間で全体のバランスと対称性を維持する既定の構成で、離散オフセットまたはシフトした相補的なエネルギ経路を生成するようにシフトすることができる。さらに、相補的なエネルギ経路のシフトは、重なったシールディングエネルギ経路の周辺の外側で少なくとも部分的に少なくとも１つの相補的なエネルギ経路に暴露し、これによって寄生、漏れなどを可能にし、これによって、既定の回路部分に関してたとえば所望のインピーダンス特性を変えることができる。
【００９２】
たとえば、所与の電極は左に５ポイントシフトすることができる。このシフトは、中央のシールド周囲の一致した対を占めてもよく、この結果、相対する極性の隣接する一致した電極の対が５ポイントシフトするか、または相対する極性の５つの隣接する各電極が１ポイントシフトし、これによりバランスと相補性を維持する。また、シールドが所与の極性の電極に対してより大きな程度でシフトし、相対する極性を有する電極が反対にシフトしてバランスと相補性を維持する場合でもこのことは真である。さらに、エネルギ経路を、重なったシールディングエネルギ経路の周辺内に維持しながら、その条件でシフトすることもできる。このようなシールディングエネルギ経路の下のシフトでも、所望の全体的な対称性とバランスを生成することができる。しかし、電極がシールドの中央に向けて引っ張られシールドの下に維持することのできる図６Ａなどの一部の典型的な実施形態は、所望のバランスのとれた対称的な状態を維持しながら、誘導的挙動など異なる電気特性を示すこともある。
【００９３】
エネルギ経路構成のいくつかの可能な実施形態のうち少なくとも１つの実施形態によれば、抵抗器／分圧器ネットワークのセンタータップを模倣することができることが注目される。他のエネルギ調節機能は、デカップリング機能、一時抑制機能、相補的エネルギキャンセル機能、エネルギ遮断機能、エネルギ寄生抑制機能など、少なくとも部分的な物理的シールディングによって提供できる。上記の静電シールディングは、電圧を印加するか、および／または種々のエネルギ経路を種々の既定の回路部分構成に既定の通りに接続または結合すると発生することに注意されたい。
【００９４】
抵抗器／分圧器ネットワークは通常、種々の集積回路抵抗器の比率を使用して構成できる。しかし種々の集積回路抵抗器は、特定の導電性／抵抗性材料７９９Ａを使用するか、または、導電材７９９として動作可能なほとんど任意のタイプの材料または材料の組み合わせの自然に発生する抵抗性を使用するか、最終的に一致した対のアライメント、重ね合わせ、相補性など物理的なレイアウトを変えるかのいずれかによって、例としての実施形態を使用することによって置き換えることができる。分圧機能は、少なくとも回路の一部に対して、共通電極シールド構造の両方のそれぞれの側面に瞬時に配置される共通電圧基準を定義するために使用できる、共通で共有された電極シールド構造の一部として存在する。
【００９５】
エネルギ経路構成のいくつかの可能な実施形態のうち少なくとも１つの実施形態によれば、相対的に共動する差分電極の対のうちいずれかまたは両方から発する望ましくないエネルギ寄生は、シールディングエネルギ経路の物理的な位置と構成に従って、例としての実施形態の実質的にバランスのとれた動作により、回路へ導電結合するなどの時に、少なくとも部分的に最小化または抑圧することができる。さらに、エネルギ経路構成のいくつかの可能な実施形態のうち少なくとも１つの実施形態によれば、差分モードエネルギとコモンモードエネルギの形態の、続く回路の中の望ましくないエネルギ寄生とエネルギ場の部分も最小化できる。
【００９６】
図示したように、可能なエネルギ調節構成（複数可）の例およびその変形例を示し、説明したが、当業者であれば例としての実施形態の精神と範囲から離れることなく、他の修正および変形も行えることを理解されるであろう。示された種々の実施形態と要素の種々の態様と要素の制限は、全体としておよび／または部分的な、置き換えおよび／または修正が可能であり、上述の説明は例示的なものに過ぎず、出願者は、付随する請求項にさらに記述された例としての実施形態を制限することを目的としていないことが容易に理解されるであろう。
【図面の簡単な説明】
【００９７】
【図１】エネルギ経路構成の例としてのいくつかの可能な実施形態のうち少なくとも１つの実施形態による、オプションとしての外側の”−ＩＭ”シールディング電極を伴うバイパス電極を有する、シールディング電極アーキテクチャの例としての実施形態の、最小スタッキングシーケンスの拡大図である。
【図２】エネルギ経路構成の例としてのいくつかの可能な実施形態のうち少なくとも１つの実施形態による、オプションとしての最終的な挟む側の外側の”−ＩＭ”シールディング電極を伴わないで示されたバイパス電極を有する、シールディング電極アーキテクチャの少なくとも１つの例としての実施形態のスタッキングシーケンスの拡大図である。
【図３Ａ】一部が９００”Ｘ”と示されているグループ化されたシールディング構造を有し、さらに、一部が８００”Ｘ”として示されているシールディング電極コンテナ対を含む場合がある、合成されたシールディング構造の例としての実施形態の拡大図である。中心軸９９９は線９９９Ｂと線９９９Ｃとして描かれており、この各々は、エネルギ経路構成の、例としてのいくつかの可能な実施形態のうち少なくとも１つの実施形態による断面図を表す。
【図３Ｂ】図１の例としての実施形態による、多数のエネルギ経路構成の例としての実施形態の一部の９９９Ｂ断面図である。
【図３Ｃ】図２の例としての実施形態による、多数のエネルギ経路構成の例としての実施形態の一部の９９９Ｃ断面図である。
【図４Ａ】エネルギ経路構成の、例としてのいくつかの可能な実施形態のうち少なくとも１つの実施形態の、半透明な上面図である。
【図４Ｂ】図４Ａに示された既定のエネルギ部分相互作用の種々の選択された領域を伴う、エネルギ経路構成のいくつかの可能な例としての実施形態のうち少なくとも１つの実施形態の”９９９Ｂ”断面図である。
【図４Ｃ】図４Ａに示された既定のエネルギ部分相互作用の種々の選択された領域を伴う、エネルギ経路構成のいくつかの可能な例としての実施形態のうち少なくとも１つの実施形態の”９９９Ｃ”断面図である。
【図５Ａ】エネルギ経路構成のいくつかの可能な実施形態のうち少なくとも１つの実施形態の、半透明な上面図である。
【図５Ｂ】図５Ａに示された既定のエネルギ部分の相互作用の種々の選択された領域を伴う、エネルギ経路構成のいくつかの可能な実施形態のうち少なくとも１つの実施形態の”９９９Ｂ”断面図である。
【図５Ｃ】図５Ａに示された既定のエネルギ部分の相互作用の種々の選択された領域を伴う、エネルギ経路構成のいくつかの可能な実施形態のうち少なくとも１つの実施形態の”９９９Ｃ”断面図である。
【図６Ａ】エネルギ経路構成のいくつかの可能な実施形態のうち少なくとも１つの実施形態の、半透明な上面図である。
【図６Ｂ】図６Ａに示された既定のエネルギ部分の相互作用の種々の選択された領域を伴う、エネルギ経路構成のいくつかの可能な実施形態のうち少なくとも１つの実施形態の”９９９Ｂ”断面図である。
【図６Ｃ】図６Ａに示された既定のエネルギ部分の相互作用の種々の選択された領域を伴う、エネルギ経路構成のいくつかの可能な実施形態のうち少なくとも１つの実施形態の”９９９Ｃ”断面図である。
【図７Ａ】エネルギ経路構成のいくつかの可能な実施形態のうち少なくとも１つの実施形態の、半透明な上面図である。
【図７Ｂ】図７Ａに示された既定のエネルギ部分の相互作用の種々の選択された領域を伴う、エネルギ経路構成のいくつかの可能な実施形態のうち少なくとも１つの実施形態の”９９９Ｂ”断面図である。
【図７Ｃ】図７Ａに示された既定のエネルギ部分の相互作用の種々の選択された領域を伴う、エネルギ経路構成のいくつかの可能な実施形態のうち少なくとも１つの実施形態の”９９９Ｃ”断面図である。
【図８Ａ】エネルギ経路構成のいくつかの可能な実施形態のうち少なくとも１つの実施形態の、半透明な上面図である。
【図８Ｂ】図８Ａに示された既定のエネルギ部分の相互作用の種々の選択された領域を伴う、エネルギ経路構成のいくつかの可能な実施形態のうち少なくとも１つの実施形態の”９９９Ｂ”断面図である。
【図８Ｃ】図８Ａに示された既定のエネルギ部分の相互作用の種々の選択された領域を伴う、エネルギ経路構成のいくつかの可能な実施形態のうち少なくとも１つの実施形態の”９９９Ｃ”断面図である。
【図９Ａ】典型的な”分割”電極構成を描く典型的なシールディングエネルギ経路の部分のオフセットを伴う上面図である。
【図９Ｂ】図９Ａを描く側面図の一部を示す図である。
【図３Ａ】
2004530298.tif 000003
【図１】
2004530298.tif 000004
【図２】
2004530298.tif 000005
【図３Ｂ】
2004530298.tif 000006
【図３Ｃ】
2004530298.tif 000007
【図４Ａ】
2004530298.tif 000008
【図４Ｂ】
2004530298.tif 000009
【図４Ｃ】
2004530298.tif 000010
【図５Ａ】
2004530298.tif 000011
【図５Ｂ】
2004530298.tif 000012
【図５Ｃ】
2004530298.tif 000013
【図６Ａ】
2004530298.tif 000014
【図６Ｂ】
2004530298.tif 000015
【図６Ｃ】
2004530298.tif 000016
【図７Ａ】
2004530298.tif 000017
【図７Ｂ】
2004530298.tif 000018
【図７Ｃ】
2004530298.tif 000019
【図８Ａ】
2004530298.tif 000020
【図８Ｂ】
2004530298.tif 000021
【図８Ｃ】
2004530298.tif 000022
【図９Ａ】
2004530298.tif 000023
【図９Ｂ】
2004530298.tif 000024
【国際公開パンフレット】
2004530298.tif 000025
2004530298.tif 000026
2004530298.tif 000027
2004530298.tif 000028
2004530298.tif 000029
2004530298.tif 000030
2004530298.tif 000031
2004530298.tif 000032
2004530298.tif 000033
2004530298.tif 000034
2004530298.tif 000035
2004530298.tif 000036
2004530298.tif 000037
2004530298.tif 000038
2004530298.tif 000039
2004530298.tif 000040
2004530298.tif 000041
2004530298.tif 000042
2004530298.tif 000043
2004530298.tif 000044
2004530298.tif 000045
2004530298.tif 000046
2004530298.tif 000047
2004530298.tif 000048
2004530298.tif 000049
2004530298.tif 000050
2004530298.tif 000051
2004530298.tif 000052
2004530298.tif 000053
2004530298.tif 000054
2004530298.tif 000055
2004530298.tif 000056
2004530298.tif 000057
2004530298.tif 000058
2004530298.tif 000059
2004530298.tif 000060
2004530298.tif 000061
2004530298.tif 000062
2004530298.tif 000063
2004530298.tif 000064
2004530298.tif 000065
2004530298.tif 000066
2004530298.tif 000067
2004530298.tif 000068
2004530298.tif 000069
2004530298.tif 000070
2004530298.tif 000071
2004530298.tif 000072
2004530298.tif 000073
2004530298.tif 000074
2004530298.tif 000075
2004530298.tif 000076
2004530298.tif 000077
【国際調査報告】
2004530298.tif 000078